(57)【要約】【課題】無駄な消費電力を抑えることができる無線通信装置等を提供する。【解決手段】環境情報測定装置２００は、データ送信の要否を表す送信条件を満たさない場合、送信すべきデータが無いことを表す「ｎｏ＿ｄａｔａ」フラグを含むアドバタイズメントを通信端末１００に送信する。環境情報測定装置２００が送信するアドバタイズメントに「ｎｏ＿ｄａｔａ」フラグが含まれていない場合、通信端末１００は、環境情報測定装置２００との接続動作処理を実行し、環境情報測定装置２００との間でデータの送受信を行う。これに対し、環境情報測定装置２００が送信するアドバタイズメントに「ｎｏ＿ｄａｔａ」フラグが含まれている場合、通信端末１００は、環境情報測定装置２００との接続動作処理を実行しない。この場合、通信端末１００は環境情報測定装置２００との間でデータの送受信を行わない。【選択図】図６
2015008368.tif 000002
【特許請求の範囲】
【請求項１】
他の無線通信装置との接続要求を取得する接続要求取得手段と、
前記接続要求取得手段により接続要求が取得されたことに応じて、前記他の無線通信装置から識別情報を受信する受信手段と、
前記受信手段により受信された識別情報に、前記他の無線通信装置が送信すべきデータに関する特定情報が含まれているか否かを判定する判定手段と、
前記判定手段による判定結果に基づいて、前記他の無線通信装置との接続を制御する接続制御手段と、
を備えることを特徴とする無線通信装置。
【請求項２】
前記判定手段は、前記他の無線通信装置が送信すべきデータが無いことを表す特定情報が含まれているか否かを判定し、
前記接続制御手段は、前記判定手段により前記送信すべきデータが無いことを表す特定情報が含まれていると判定された場合、前記他の無線通信装置と接続しない、
ことを特徴とする請求項１に記載の無線通信装置。
【請求項３】
前記判定手段は、前記他の無線通信装置が送信すべきデータが有ることを表す特定情報が含まれているか否かを判定し、
前記接続制御手段は、前記判定手段により前記送信すべきデータが有ることを表す特定情報が含まれていると判定された場合、前記他の無線通信装置と接続する、
ことを特徴とする請求項１または２に記載の無線通信装置。
【請求項４】
他の無線通信装置と無線通信を行う無線通信装置であって、
データを取得するデータ取得手段と、
前記データ取得手段により取得されたデータが、前記他の無線通信装置へのデータ送信の要否を表す送信条件を満たすか否かを判定する判定手段と、
前記判定手段による判定結果に基づいて、送信すべきデータに関する特定情報を含む識別情報を前記他の無線通信装置に送信する識別情報送信手段と、
前記識別情報送信手段により送信された識別情報を受信した前記他の無線通信装置が当該識別情報に基づいて送信した接続要求信号を受信する接続要求受信手段と、
前記接続要求受信手段により受信された接続要求信号に応じて、前記データ取得手段により取得されたデータを前記他の無線通信装置に送信するデータ送信手段と、
を備えることを特徴とする無線通信装置。
【請求項５】
前記識別情報送信手段は、前記判定手段により送信条件を満たさないと判定された場合、送信すべきデータが無いことを表す特定情報を含む識別情報を前記他の無線通信装置に送信する、
ことを特徴とする請求項４に記載の無線通信装置。
【請求項６】
前記識別情報送信手段は、前記判定手段により送信条件を満たすと判定された場合、送信すべきデータが有ることを表す特定情報を含む識別情報を前記他の無線通信装置に送信する、
ことを特徴とする請求項４または５に記載の無線通信装置。
【請求項７】
前記識別情報送信手段は、前記識別情報を前記他の無線通信装置に定期的に送信する、
ことを特徴とする請求項４から６のいずれか１項に記載の無線通信装置。
【請求項８】
他の無線通信装置との接続要求を取得する接続要求取得手段と、前記接続要求取得手段により接続要求が取得されたことに応じて、前記他の無線通信装置から識別情報を受信する受信手段と、前記受信手段により受信された識別情報に、前記他の無線通信装置が送信すべきデータに関する特定情報が含まれているか否かを判定する判定手段と、前記判定手段による判定結果に基づいて、前記他の無線通信装置との接続を制御する接続制御手段と、を備える無線通信装置と、
前記無線通信装置と無線通信を行う他の無線通信装置であって、データを取得するデータ取得手段と、前記データ取得手段により取得されたデータが、前記無線通信装置へのデータ送信の要否を表す送信条件を満たすか否かを判定する判定手段と、前記判定手段による判定結果に基づいて、送信すべきデータに関する特定情報を含む識別情報を前記無線通信装置に送信する識別情報送信手段と、前記識別情報送信手段により送信された識別情報を受信した前記無線通信装置が当該識別情報に基づいて送信した接続要求信号を受信する接続要求受信手段と、前記接続要求受信手段により受信された接続要求信号に応じて、前記データ取得手段により取得されたデータを前記無線通信装置に送信するデータ送信手段と、を備える他の無線通信装置と、
を備えることを特徴とする無線通信システム。
【請求項９】
他の無線通信装置との接続要求を取得する接続要求取得ステップと、
前記接続要求取得ステップで接続要求が取得されたことに応じて、前記他の無線通信装置から識別情報を受信する受信ステップと、
前記受信ステップで受信された識別情報に、前記他の無線通信装置が送信すべきデータに関する特定情報が含まれているか否かを判定する判定ステップと、
前記判定ステップでの判定結果に基づいて、前記他の無線通信装置との接続を制御する接続制御ステップと、
を含むことを特徴とする無線通信方法。
【請求項１０】
他の無線通信装置と無線通信を行う無線通信方法であって、
データを取得するデータ取得ステップと、
前記データ取得ステップで取得されたデータが、前記他の無線通信装置へのデータ送信の要否を表す送信条件を満たすか否かを判定する判定ステップと、
前記判定ステップでの判定結果に基づいて、送信すべきデータに関する特定情報を含む識別情報を前記他の無線通信装置に送信する識別情報送信ステップと、
前記識別情報送信ステップで送信された識別情報を受信した前記他の無線通信装置が当該識別情報に基づいて送信した接続要求信号を受信する接続要求受信ステップと、
前記接続要求受信ステップで受信された接続要求信号に応じて、前記データ取得ステップで取得されたデータを前記他の無線通信装置に送信するデータ送信ステップと、
を含むことを特徴とする無線通信方法。
【請求項１１】
コンピュータを、
他の無線通信装置との接続要求を取得する接続要求取得手段、
前記接続要求取得手段により接続要求が取得されたことに応じて、前記他の無線通信装置から識別情報を受信する受信手段、
前記受信手段により受信された識別情報に、前記他の無線通信装置が送信すべきデータに関する特定情報が含まれているか否かを判定する判定手段、
前記判定手段による判定結果に基づいて、前記他の無線通信装置との接続を制御する接続制御手段、
として機能させることを特徴とするプログラム。
【請求項１２】
他の無線通信装置と無線通信を行うコンピュータを、
データを取得するデータ取得手段、
前記データ取得手段により取得されたデータが、前記他の無線通信装置へのデータ送信の要否を表す送信条件を満たすか否かを判定する判定手段、
前記判定手段による判定結果に基づいて、送信すべきデータに関する特定情報を含む識別情報を前記他の無線通信装置に送信する識別情報送信手段、
前記識別情報送信手段により送信された識別情報を受信した前記他の無線通信装置が当該識別情報に基づいて送信した接続要求信号を受信する接続要求受信手段、
前記接続要求受信手段により受信された接続要求信号に応じて、前記データ取得手段により取得されたデータを前記他の無線通信装置に送信するデータ送信手段、
として機能させることを特徴とするプログラム。
【請求項１３】
ペリフェラルとBluetooth（登録商標） low energyに基づく無線通信を行うセントラルであって、
ペリフェラルとの接続要求を取得する接続要求取得手段と、
前記接続要求取得手段により接続要求が取得されたことに応じて、前記ペリフェラルからアドバタイズメントを受信する受信手段と、
前記受信手段により受信されたアドバタイズメントに、前記ペリフェラルが送信すべきデータに関する特定情報が含まれているか否かを判定する判定手段と、
前記判定手段による判定結果に基づいて、前記ペリフェラルとの接続を制御する接続制御手段と、
を備えることを特徴とする無線通信装置。
【請求項１４】
セントラルとBluetooth（登録商標） low energyに基づく無線通信を行うペリフェラルであって、
データを取得するデータ取得手段と、
前記データ取得手段により取得されたデータが、前記セントラルへのデータ送信の要否を表す送信条件を満たすか否かを判定する判定手段と、
前記判定手段による判定結果に基づいて、送信すべきデータに関する特定情報を含むアドバタイズメントを前記セントラルに送信するアドバタイズメント送信手段と、
前記アドバタイズメント送信手段により送信されたアドバタイズメントを受信した前記セントラルが当該アドバタイズメントに基づいて送信した接続要求信号を受信する接続要求受信手段と、
前記接続要求受信手段により受信された接続要求信号に応じて、前記データ取得手段により取得されたデータを前記セントラルに送信するデータ送信手段と、
を備えることを特徴とする無線通信装置。
【発明の詳細な説明】
【技術分野】
【０００１】
本発明は、無線通信装置、無線通信システム、無線通信方法、及びプログラムに関する。
【背景技術】
【０００２】
近距離無線通信規格のBluetooth（登録商標） low energyに基づいて無線通信を行う無線通信機器であるセントラルは、通信相手となる他の無線通信機器であるペリフェラルが送信するアドバタイズメントと呼ばれる識別情報を受信して、当該ペリフェラルに対して接続要求信号を送信してから、当該ペリフェラルとの間でデータの送受信を行う。このような無線通信機器において、他の無線通信機器との無線通信の際に消費電力を抑えることが行われている（例えば、特許文献１参照）。特許文献１の無線通信機器は、ペリフェラルが定期的に送信するアドバタイズメントの送信間隔を学習することによって、アドバタイズメントの受信間隔を決定し、１回の受信動作時間を短くすることで、無駄な消費電力を抑えている。
【先行技術文献】
【特許文献】
【０００３】
【特許文献１】特開２０１２−１４２８７７号公報
【発明の概要】
【発明が解決しようとする課題】
【０００４】
しかしながら、特許文献１に記載の無線通信機器では、ペリフェラルにデータを更新するための情報がない場合、例えば、ペリフェラルが備えるセンサの測定値に変化がない場合などであっても、ペリフェラルに対して接続要求信号を送信し、データが更新されないにもかかわらずペリフェラルとの間でデータの送受信を行うので、無駄な消費電力が生じていた。また、ペリフェラルにおいても、通信相手のセントラルから接続要求信号を受信した場合には、前回送信したデータと同じデータであるにもかかわらず、当該データをセントラルに対して送信することになるので、無駄な消費電力が生じていた。
【０００５】
本発明はかかる問題点に鑑みてなされたものであって、無駄な消費電力を抑えることができる無線通信装置、無線通信システム、無線通信方法、及びプログラムを提供することを目的とする。
【課題を解決するための手段】
【０００６】
上記目的を達成するため、本発明の第１の観点に係る無線通信装置は、
他の無線通信装置との接続要求を取得する接続要求取得手段と、
前記接続要求取得手段により接続要求が取得されたことに応じて、前記他の無線通信装置から識別情報を受信する受信手段と、
前記受信手段により受信された識別情報に、前記他の無線通信装置が送信すべきデータに関する特定情報が含まれているか否かを判定する判定手段と、
前記判定手段による判定結果に基づいて、前記他の無線通信装置との接続を制御する接続制御手段と、
を備えることを特徴とする。
【０００７】
また、上記目的を達成するため、本発明の第２の観点に係る無線通信装置は、
他の無線通信装置と無線通信を行う無線通信装置であって、
データを取得するデータ取得手段と、
前記データ取得手段により取得されたデータが、前記他の無線通信装置へのデータ送信の要否を表す送信条件を満たすか否かを判定する判定手段と、
前記判定手段による判定結果に基づいて、送信すべきデータに関する特定情報を含む識別情報を前記他の無線通信装置に送信する識別情報送信手段と、
前記識別情報送信手段により送信された識別情報を受信した前記他の無線通信装置が当該識別情報に基づいて送信した接続要求信号を受信する接続要求受信手段と、
前記接続要求受信手段により受信された接続要求信号に応じて、前記データ取得手段により取得されたデータを前記他の無線通信装置に送信するデータ送信手段と、
を備えることを特徴とする。
【０００８】
また、上記目的を達成するため、本発明の第３の観点に係る無線通信装置は、
ペリフェラルとBluetooth（登録商標） low energyに基づく無線通信を行うセントラルであって、
ペリフェラルとの接続要求を取得する接続要求取得手段と、
前記接続要求取得手段により接続要求が取得されたことに応じて、前記ペリフェラルからアドバタイズメントを受信する受信手段と、
前記受信手段により受信されたアドバタイズメントに、前記ペリフェラルが送信すべきデータに関する特定情報が含まれているか否かを判定する判定手段と、
前記判定手段による判定結果に基づいて、前記ペリフェラルとの接続を制御する接続制御手段と、
を備えることを特徴とする。
【０００９】
また、上記目的を達成するため、本発明の第４の観点に係る無線通信装置は、
セントラルとBluetooth（登録商標） low energyに基づく無線通信を行うペリフェラルであって、
データを取得するデータ取得手段と、
前記データ取得手段により取得されたデータが、前記セントラルへのデータ送信の要否を表す送信条件を満たすか否かを判定する判定手段と、
前記判定手段による判定結果に基づいて、送信すべきデータに関する特定情報を含むアドバタイズメントを前記セントラルに送信するアドバタイズメント送信手段と、
前記アドバタイズメント送信手段により送信されたアドバタイズメントを受信した前記セントラルが当該アドバタイズメントに基づいて送信した接続要求信号を受信する接続要求受信手段と、
前記接続要求受信手段により受信された接続要求信号に応じて、前記データ取得手段により取得されたデータを前記セントラルに送信するデータ送信手段と、
を備えることを特徴とする。
【発明の効果】
【００１０】
本発明によれば、無駄な消費電力を抑えることができる。
【図面の簡単な説明】
【００１１】
【図１】本発明の実施の形態に係る無線通信システムの構成例を示す図である。
【図２】本発明の実施の形態に係る無線通信装置の一例として通信端末の構成例を示す図である。
【図３】本発明の実施の形態に係る無線通信装置の一例として環境情報測定装置の構成例を示す図である。
【図４】（Ａ）は、ＷＢＧＴ値を算出するときに使用するＷＢＧＴ値算出テーブルを示す図、（Ｂ）は、ＷＢＧＴ値の分類を示す図である。
【図５】アドバタイズメントパケットの構成例を示す図である。
【図６】図１の無線通信システムの動作を説明するための図である。
【図７】図２の通信端末が実行する通信処理の一例を示すフローチャートである。
【図８】図３の環境情報測定装置が実行するアドバタイズメント送信処理の一例を示すフローチャートである。
【図９】変形例１におけるデータ送信の要否を表す送信条件の例を示す図である。
【図１０】変形例１における環境情報測定装置が実行するアドバタイズメント送信処理の例を示すフローチャートである。
【発明を実施するための形態】
【００１２】
以下、本発明の実施の形態について図面を参照して説明する。
【００１３】
図１は、本発明の実施の形態に係る無線通信システムの構成例を表す図である。
【００１４】
図１に示す構成例において、無線通信システム１は、無線通信装置としての通信端末１００と、通信端末１００とは異なる無線通信装置としての環境情報測定装置２００とを備えている。通信端末１００と環境情報測定装置２００とは、Bluetooth（登録商標） low energy（以下、ＢＬＥという。）に基づいて、互いに無線通信を行う。ＢＬＥとは、Bluetooth（登録商標）と呼ばれる近距離無線通信規格において、低消費電力を目的として策定された規格（モード）である。ＢＬＥに基づく無線通信を行う無線通信装置には、セントラルと称する無線通信装置と、ペリフェラルと称する無線通信装置とがある。セントラルは、ペリフェラルから提供されたサービス（例えば、測定されたデータなど）を利用する装置である。また、ペリフェラルは、セントラルにサービス（例えば、測定したデータなど）を提供する装置である。本実施の形態では、通信端末１００がセントラルに該当し、環境情報測定装置２００がペリフェラルに該当する。
【００１５】
通信端末１００は、携帯電話機、スマートフォン、タブレット型パーソナルコンピュータ、ノート型パーソナルコンピュータ等の持ち運びが可能であって、ＢＬＥに基づく無線通信機能を有する端末である。本実施の形態では、一例として、通信端末１００はスマートフォンから構成される。通信端末１００は、温度、相対湿度及びＷＢＧＴ（Wet Bulb Globe Temperature）値などのデータを環境情報測定装置２００から受信し、受信したデータに基づいて、後述する表示部１２８に環境情報として各種情報を表示したり、後述するスピーカ１２４からアラーム等の音声を鳴らしたりする。なお、ＷＢＧＴ値とは、例えば労働環境における作業者が熱中症になりやすい度合いを示す指標値である。
【００１６】
環境情報測定装置２００は、温度、相対湿度及びＷＢＧＴ値を測定したい場所、例えば、工場や建設現場、工事現場、体育館、運動場などに設置される。環境情報測定装置２００は、設置場所の温度と相対湿度を測定し、測定値からＷＢＧＴ値を算出する。そして、環境情報測定装置２００は、温度、相対湿度及びＷＢＧＴ値などのデータを通信端末１００に送信する。
【００１７】
ＢＬＥに基づいて行われる無線通信では、セントラルとペリフェラルとの間でデータの送受信を行う前に、ペリフェラルがアドバタイズメントを送信し、セントラルがアドバタイズメントを受信する。アドバタイズメントとは、他の無線通信装置を探したり、他の無線通信装置と接続したりしようとするために、他の無線通信装置に対して自分の存在を知らせるための識別情報のことをいう。なお、アドバタイズメントを、単に「アドバタイズ」ということもある。
【００１８】
本実施の形態では、ペリフェラルである環境情報測定装置２００は通信端末１００にアドバタイズメントを送信する。このとき環境情報測定装置２００は、後述する送信条件を満たさない場合、送信すべきデータが無いことを表す特定情報として「ｎｏ＿ｄａｔａ」フラグを含むアドバタイズメントを送信する。また、後述する送信条件を満たす場合、上記「ｎｏ＿ｄａｔａ」フラグを含まないアドバタイズメントを送信する。
【００１９】
セントラルである通信端末１００は、環境情報測定装置２００が送信するアドバタイズメントを受信する。このとき通信端末１００は、受信したアドバタイズメントに「ｎｏ＿ｄａｔａ」フラグが含まれている場合、環境情報測定装置２００との接続動作処理を実行しない。また、通信端末１００は、アドバタイズメントに「ｎｏ＿ｄａｔａ」フラグが含まれていない場合、環境情報測定装置２００との接続動作処理を実行する。通信端末１００は、環境情報測定装置２００との接続動作処理を実行した後に、環境情報測定装置２００との間でデータの送受信を行う。
【００２０】
次に、本実施の形態に係る通信システム１のハードウェア構成などについて説明する。
【００２１】
図２は、本実施の形態に係る通信端末１００の構成例を概略的に示すブロック図である。図２に示すように、通信端末１００は、制御部１０２、ＲＯＭ（Read Only Memory）１０４、ＲＡＭ（Random Access Memory）１０６、無線通信処理部１１０、アンテナ１１２、スピーカ１２４、ドライバ１２６、表示部１２８及びタッチパネル１３０を備える。
【００２２】
制御部１０２は、例えばＣＰＵ（Central Processing Unit）によって構成される。制御部１０２は、ＲＯＭ１０４に記憶されたプログラム（例えば、後述する図６に示す通信端末１００の動作を実現するためのプログラム）に従ってソフトウェア処理を実行することにより、通信端末１００が具備する各種機能を制御する。
【００２３】
ＲＯＭ１０４は、フラッシュメモリ等の不揮発性メモリから構成され、上述したように制御部１０２が各種機能を制御するためのプログラムやデータを記憶する。ＲＡＭ１０６は、揮発性メモリから構成され、制御部１０２が各種処理を行うためにデータを一時的に記憶するための作業領域として用いられる。
【００２４】
無線通信処理部１１０は、例えば無線周波数（ＲＦ：Radio Frequency）回路やベースバンド（ＢＢ：Baseband）回路等を用いて構成される。無線通信処理部１１０は、アンテナ１１２を介して、ＢＬＥに基づく無線信号の送信及び受信を行う。
【００２５】
スピーカ１２４は、制御部１０２からの音声データに基づいて、アラーム等の音声を出力する。ドライバ１２６は、制御部１０２から出力された画像データに基づく画像信号を表示部１２８へ出力する。表示部１２８は、例えば、ＬＣＤ（Liquid Crystal Display）、ＥＬ（Electroluminescence）ディスプレイ等によって構成される。表示部１２８は、ドライバ１２６から出力された画像信号に従って画像（例えば、図１に示すようなＷＢＧＴ値や「警戒」などといった画像等）を表示する。
【００２６】
タッチパネル１３０は、表示部１２８の上面に配置され、ユーザの操作内容を入力するために用いられるインタフェースである。タッチパネル１３０は、例えば図示しない透明電極を内蔵し、ユーザの指等が接触した場合に、電圧が変化した位置を接触位置として検出し、その接触位置の情報を入力指示として制御部１０２へ出力する。
【００２７】
次に、通信端末１００の制御部１０２の機能的構成について説明する。図２に示すように、制御部１０２は、接続要求取得部１５１、受信部１５２、判定部１５３、接続制御部１５４、として機能する。
【００２８】
接続要求取得部１５１は、例えば、環境情報測定用のアプリケーションを立ち上げた後に、環境情報を測定するためにユーザが行うタッチパネル１３０への操作を、環境情報測定装置２００との接続要求として取得する。なお、接続要求は、ユーザの操作によって発生するものに限られず、例えば、環境情報測定用のアプリケーションが起動した後に、予め定められたタイマー時間が経過したことに基づいて発生するものであってもよい。
【００２９】
受信部１５２は、接続要求取得部１５１が接続要求を取得した後に、アドバタイズメントを受信するための受信動作処理を、予め定められたポーリング周期で間欠的に実行する。受信動作処理時間は、例えば、環境情報測定装置２００が定期的に送信するアドバタイズメントの送信間隔よりも長い時間に設定されていればよい。受信部１５２は、受信動作処理においてアドバタイズメントをスキャンして、環境情報測定装置２００から送信されたアドバタイズメントを受信する。
【００３０】
判定部１５３は、受信部１５２が受信したアドバタイズメントに、送信すべきデータが無いことを表す「ｎｏ＿ｄａｔａ」フラグが含まれているか否かを判定する。具体的には、判定部１５３は、後述するアドバタイズメントパケットの構成のうち、独自データを任意に設定できる領域に「ｎｏ＿ｄａｔａ」フラグがあるか否かを判定する。
【００３１】
接続制御部１５４は、判定部１５３がアドバタイズメントに「ｎｏ＿ｄａｔａ」フラグが含まれていると判定した場合、環境情報測定装置２００との接続動作処理を実行しない。また、接続制御部１５４は、判定部１５３がアドバタイズメントに「ｎｏ＿ｄａｔａ」フラグが含まれていないと判定した場合、環境情報測定装置２００との接続動作処理を実行する。
【００３２】
図３は、本実施の形態に係る環境情報測定装置２００の構成例を概略的に示すブロック図である。図３に示すように、環境情報測定装置２００は、制御部２０２、ＲＯＭ２０４、ＲＡＭ２０６、無線通信処理部２１０、アンテナ２１２、操作部２２０、ドライバ２２６、表示部２２８、温度センサ２３０及び湿度センサ２４０を備える。
【００３３】
制御部２０２は、例えばＣＰＵによって構成される。制御部２０２は、ＲＯＭ２０４に記憶されたプログラム（例えば、後述する図６に示す環境情報測定装置２００の動作を実現するためのプログラム）に従ってソフトウェア処理を実行することにより、環境情報測定装置２００が具備する各種機能を制御する。
【００３４】
ＲＯＭ２０４は、フラッシュメモリ等の不揮発性メモリから構成され、上述したように制御部２０２が各種機能を制御するためのプログラムやデータを記憶する。ＲＡＭ２０６は、揮発性メモリから構成され、制御部２０２が各種処理を行うためにデータを一時的に記憶するための作業領域として用いられる。
【００３５】
無線通信処理部２１０は、例えば無線周波数（ＲＦ）回路やベースバンド（ＢＢ）回路等を用いて構成される。無線通信処理部２１０は、アンテナ２１２を介して、ＢＬＥに基づく無線信号の送信及び受信を行う。
【００３６】
操作部２２０は、例えばスイッチ等から構成され、電源のＯＮ・ＯＦＦなどのユーザの操作内容を入力するために用いられる。
【００３７】
ドライバ２２６は、制御部２０２から出力された画像データに基づく画像信号を表示部２２８へ出力する。表示部２２８は、例えば、ＬＣＤ、ＥＬディスプレイ等によって構成される。表示部２２８は、ドライバ２２６から出力された画像信号に従って画像（例えば、図１に示すような温度や相対湿度、ＷＢＧＴ値などの数値を表す画像等）を表示する。
【００３８】
温度センサ２３０は、例えば、測温抵抗体や熱電対等を用いて構成される。温度センサ２３０は、環境情報測定装置２００の周辺温度、即ち、環境情報測定装置２００が設置された場所の温度を測定し、測定結果を示すデータを制御部２０２に送る。
【００３９】
湿度センサ２４０は、例えば、高分子膜を用いて構成される。湿度センサ２４０は、環境情報測定装置２００の周辺の相対湿度、即ち、環境情報測定装置２００が設置された場所の相対湿度を測定し、測定結果を示すデータを制御部２０２に送る。
【００４０】
次に、環境情報測定装置２００の制御部２０２の機能的構成について説明する。図３に示すように、制御部２０２は、データ取得部２５１、判定部２５２、アドバタイズメント送信部２５３、接続要求受信部２５４、データ送信部２５５、として機能する。
【００４１】
データ取得部２５１は、温度センサ２３０から温度の測定結果を示すデータを取得する。また、データ取得部２５１は、湿度センサ２４０から相対湿度の測定結果を示すデータを取得する。
【００４２】
判定部２５２は、データ取得部２５１が取得した温度及び相対湿度のデータからＷＢＧＴ値を算出し、算出したＷＢＧＴ値が、後述するデータ送信の要否を表す送信条件を満たすか否かを判定する。この実施の形態では、判定部２５２は、ＲＯＭ２０４に予め記憶されて用意されたＷＢＧＴ値算出テーブルを参照することにより、温度と相対湿度とに対応するＷＢＧＴ値を算出結果として読み出す。
【００４３】
図４（Ａ）は、ＷＢＧＴ値を算出するときに使用するＷＢＧＴ値算出テーブルの一例を示す図である。図４（Ａ）に示すＷＢＧＴ値算出テーブルでは、温度と相対湿度とに対応してＷＢＧＴ値が設定されている。例えば、温度が２５℃で相対湿度が６０％の場合、ＷＢＧＴ値は２３℃となる。また、温度が２８℃で相対湿度が６０％の場合、ＷＢＧＴ値は２５℃となる。ＷＢＧＴ値は、高くなるほど熱中症になりやすいことを示しており、熱中症になりやすい度合いに応じて、例えば、図４（Ｂ）に示すように、注意（２５℃未満）、警戒（２５℃以上２８℃未満）、厳重警戒（２８℃以上３１℃未満）、危険（３１℃以上）の４つに分類されている。
【００４４】
図３に示す判定部２５２は、算出したＷＢＧＴ値が、基準値以上であるか否かを判定する。この実施の形態では、一例として、基準値を２５℃とする。判定部２５２は、算出したＷＢＧＴ値が２５℃以上である場合、通信端末１００へのデータ送信が必要である、即ち、送信条件を満たすと判定する。また、判定部２５２は、算出したＷＢＧＴ値が２５℃未満である場合、通信端末１００へのデータ送信が不要である、即ち、送信条件を満たさないと判定する。
【００４５】
図３に示すアドバタイズメント送信部２５３は、判定部２５２が通信端末１００へのデータ送信が不要であると判定した場合、送信すべきデータがないことを表す「ｎｏ＿ｄａｔａ」フラグを含むアドバタイズメントを通信端末１００に送信する。また、アドバタイズメント送信部２５３は、判定部２５２が通信端末１００へのデータ送信が必要であると判定した場合、上記「ｎｏ＿ｄａｔａ」フラグを含まないアドバタイズメントを通信端末１００に送信する。アドバタイズメント送信部２５３は、上記「ｎｏ＿ｄａｔａ」フラグを含むアドバタイズメント、または、上記「ｎｏ＿ｄａｔａ」フラグを含まないアドバタイズメントを、予め定められた送信周期で定期的に送信する。
【００４６】
図５は、環境情報測定装置２００のアドバタイズメント送信部２５３が送信するアドバタイズメントパケットの構成例を示す図である。図５に示すアドバタイズメントパケットは、ＢＬＥ規格に準拠した構成となっている。ＢＬＥ規格では、アドバタイズメントパケットに独自データを任意に設定できる領域を設けることができる。この実施の形態では、アドバタイズメントに「ｎｏ＿ｄａｔａ」フラグを含める場合、アドバタイズメントパケットに「ｎｏ＿ｄａｔａ」フラグを設定できる領域を設け、その領域に、「ｎｏ＿ｄａｔａ」フラグを表すデータとして、例えば「０ｘ００」といったデータを設定する。なお、アドバタイズメントに「ｎｏ＿ｄａｔａ」フラグを含めない場合には、アドバタイズメントパケットに「ｎｏ＿ｄａｔａ」フラグを設定できる領域を設けない。
【００４７】
図３に示す接続要求受信部２５４は、アドバタイズメント送信部２５３がアドバタイズメントを通信端末１００に送信した後の所定期間、通信端末１００からの接続要求信号を受信可能状態とし、受信可能状態のときに通信端末１００からの接続要求信号を受信する。
【００４８】
データ送信部２５５は、接続要求受信部２５４が受信した通信端末１００からの接続要求信号に応じて、データ取得部２５１が取得した温度、相対湿度及びＷＢＧＴ値などのデータを通信端末１００に送信する。
【００４９】
次に、本実施の形態における無線通信システム１の動作を図６のフローチャートを参照しつつ説明する。
【００５０】
環境情報測定装置２００は、図６に示すように、通信端末１００に「ｎｏ＿ｄａｔａ」フラグを含むアドバタイズメントを定期的に送信する（ステップＳ１０）。なお、図６に示すステップＳ１０におけるアドバタイズメントの各送信時点では、算出されるＷＢＧＴ値は２５℃未満であり、送信条件を満たさない。従って、ステップＳ１０で送信されるアドバタイズメントは「ｎｏ＿ｄａｔａ」フラグを含むものとなっている。
【００５１】
通信端末１００は、例えば、環境情報を測定するためにユーザがタッチパネル１３０への操作を行ったことに基づいて、アドバタイズメントを受信するための受信動作処理を実行する（ステップＳ１１）。ステップＳ１１では、通信端末１００は、アドバタイズメントをスキャンして、環境情報測定装置２００から送信されたアドバタイズメントを受信する。通信端末１００は、受信したアドバタイズメントに「ｎｏ＿ｄａｔａ」フラグが含まれていると判定する。従って、通信端末１００は、環境情報測定装置２００との接続動作処理を実行しない。
【００５２】
通信端末１００は、ポーリング周期の時間経過後、再びアドバタイズメントを受信するための受信動作処理を実行する（ステップＳ１２）。ステップＳ１２でも、通信端末１００は、アドバタイズメントをスキャンして、環境情報測定装置２００から送信されたアドバタイズメントを受信し、受信したアドバタイズメントに「ｎｏ＿ｄａｔａ」フラグが含まれていると判定する。従って、通信端末１００は、環境情報測定装置２００との接続動作処理を実行しない。
【００５３】
次に、環境情報測定装置２００は、通信端末１００に「ｎｏ＿ｄａｔａ」フラグを含まないアドバタイズメントを定期的に送信する（ステップＳ１３）。なお、ステップＳ１３におけるアドバタイズメントの各送信時点では、環境情報測定装置２００によって算出されるＷＢＧＴ値は２５℃以上であり、送信条件を満たす。従って、ステップＳ１３で送信されるアドバタイズメントは「ｎｏ＿ｄａｔａ」フラグを含まないものとなっている。
【００５４】
次いで、通信端末１００は、ポーリング周期の時間経過後、再びアドバタイズメントを受信するための受信動作処理を実行する（ステップＳ１４）。ステップＳ１４では、通信端末１００は、アドバタイズメントをスキャンして、環境情報測定装置２００から送信されたアドバタイズメントを受信する。通信端末１００は、受信したアドバタイズメントに「ｎｏ＿ｄａｔａ」フラグが含まれていないと判定する。従って、通信端末１００は、境情報測定装置２００との接続動作処理を実行する（ステップＳ１５）。ステップＳ１５では、通信端末１００は、環境情報測定装置２００に接続要求信号を送信する。
【００５５】
次に、環境情報測定装置２００は、通信端末１００からの接続要求信号を受信すると、通信端末１００との間でデータの送受信を行う（ステップＳ１６）。ステップＳ１６では、環境情報測定装置２００は、温度、相対湿度及びＷＢＧＴ値などのデータを通信端末１００に送信する。
【００５６】
環境情報測定装置２００と通信端末１００との間で、データの送受信が終了すると、通信端末１００は、環境情報測定装置２００との切断動作処理を実行する（ステップＳ１７）。ステップＳ１７では、通信端末１００は、環境情報測定装置２００に切断要求信号を送信する。そして、環境情報測定装置２００は、通信端末１００からの切断要求信号を受信すると、通信端末１００に応答信号を送信する（ステップＳ１８）。これにより、環境情報測定装置２００と通信端末１００との接続が終了する。
【００５７】
次に、本実施の形態に係る通信端末１００の動作について、図７を参照して説明する。図７は、本実施の形態に係る通信端末１００の制御部１０２が実行する通信処理の一例を示すフローチャートである。なお、この通信処理は、ＲＯＭ１０４内に予め記憶されているプログラムを読み出して実行する制御部１０２によって行われる。
【００５８】
通信端末１００の制御部１０２は、例えば、環境情報測定用のアプリケーションを立ち上げた後に、図７に示す通信処理を開始する。
【００５９】
まず、接続要求取得部１５１は、例えば、環境情報を測定するためにユーザが行うタッチパネル１３０への操作を、環境情報測定装置２００との接続要求として取得する（ステップ１０１）。
【００６０】
受信部１５２は、アドバタイズメントを受信するための受信動作処理を実行する。受信動作処理では、受信部１５２は、アドバタイズメントをスキャンして（ステップＳ１０２）、環境情報測定装置２００から送信されたアドバタイズメントを受信したか否かを判定する（ステップＳ１０３）。ステップＳ１０３にてアドバタイズメントを受信していないと判定された場合（ステップＳ１０３；Ｎｏ）、受信部１５２は、ステップＳ１０２に戻ってアドバタイズメントを再度スキャンする。
【００６１】
ステップＳ１０３にてアドバタイズメントを受信したと判定された場合（ステップＳ１０３；Ｙｅｓ）、判定部１５３は、受信したアドバタイズメントに、送信すべきデータが無いことを表す「ｎｏ＿ｄａｔａ」フラグが含まれているか否かを判定する（ステップＳ１０４）。ステップＳ１０４にて「ｎｏ＿ｄａｔａ」フラグが含まれていると判定された場合（ステップＳ１０４；Ｙｅｓ）、接続制御部１５４は、接続要求をリセットし、環境情報測定装置２００との接続動作処理を実行しない（ステップＳ１０５）。
【００６２】
また、ステップＳ１０４にて「ｎｏ＿ｄａｔａ」フラグが含まれていないと判定された場合（ステップＳ１０４；Ｎｏ）、接続制御部１５４は、環境情報測定装置２００との接続動作処理を実行する（ステップＳ１０６）。ステップＳ１０６では、接続制御部１５４は、上述したように環境情報測定装置２００に接続要求信号を送信する。
【００６３】
ステップＳ１０６の処理を実行した後、制御部１０２は、環境情報測定装置２００との間でデータの送受信を行い（ステップＳ１０７）、受信したデータに基づいて、表示部１２８における表示画面を更新する（ステップＳ１０８）。
【００６４】
ステップＳ１０５の処理を実行した後、または、ステップＳ１０８の処理を実行した後、制御部１０２は、ステップＳ１０１に戻り、上記処理を繰り返し実行する。なお、通信処理は、例えば、環境情報測定用のアプリケーションを終了させるためにユーザがタッチパネル１３０を操作したときなどに、終了する。
【００６５】
次に、本実施の形態に係る環境情報測定装置２００の動作について、図８を参照して説明する。図８は、本実施の形態に係る環境情報測定装置２００の制御部２０２が実行するアドバタイズメント送信処理の一例を示すフローチャートである。なお、このアドバタイズメント送信処理は、ＲＯＭ２０４内に予め記憶されているプログラムを読み出して実行する制御部２０２によって行われる。
【００６６】
環境情報測定装置２００の制御部２０２は、例えば、ユーザによる操作部２２０への操作によって電源ＯＮ状態となった後に、図８に示すアドバタイズメント送信処理を開始する。
【００６７】
まず、制御部２０２は、初期設定として、アドバタイズメントに「ｎｏ＿ｄａｔａ」フラグを含めるアドバタイズメント設定を行う（ステップＳ２０１）。
【００６８】
次に、アドバタイズメント送信部２５３は、アドバタイズメントを通信端末１００に送信する（ステップＳ２０２）。なお、ステップＳ２０１の処理を実行した後に、ステップＳ２０２の処理を実行する場合には、アドバタイズメント送信部２５３は、「ｎｏ＿ｄａｔａ」フラグを含むアドバタイズメントを通信端末１００に送信する。
【００６９】
次いで、データ取得部２５１は、温度センサ２３０から現在の温度のデータを取得し、湿度センサ２４０から現在の相対湿度のデータを取得する（ステップＳ２０３）。
【００７０】
判定部２５２は、データ取得部２５１が取得した温度及び相対湿度のデータからＷＢＧＴ値を算出し（ステップＳ２０４）、算出したＷＢＧＴ値が２５℃以上か否か、即ち、送信条件を満たすか否かを判定する（ステップＳ２０５）。
【００７１】
ステップ２０５にて送信条件を満たすと判定された場合（ステップＳ２０５；Ｙｅｓ）、制御部２０２は、アドバタイズメントに「ｎｏ＿ｄａｔａ」フラグを含めないアドバタイズメント設定を行う（ステップＳ２０６）。
【００７２】
ステップＳ２０６の処理を実行した後、制御部２０２は、ステップＳ２０２に戻る。なお、ステップＳ２０６の処理を実行した後に、ステップＳ２０２の処理を実行する場合には、アドバタイズメント送信部２５３は、「ｎｏ＿ｄａｔａ」フラグを含まないアドバタイズメントを通信端末１００に送信する。
【００７３】
また、ステップ２０５にて送信条件を満たさないと判定された場合（ステップＳ２０５；Ｎｏ）、制御部２０２は、ステップＳ２０１に戻り、上記処理を繰り返し実行する。なお、アドバタイズメント送信処理は、例えば、通信端末１００との間でデータ送受信を行っているときなどに、一時的に中断される。また、アドバタイズメント送信処理は、例えば、ユーザによる操作部２２０への操作によって電源ＯＦＦ状態とされたときに、終了する。
【００７４】
以上説明したように、上記実施の形態に係る通信端末１００によれば、例えば環境情報測定装置２００から受信したアドバタイズメントに、送信すべきデータが無いことを表す「ｎｏ＿ｄａｔａ」フラグなどといった送信すべきデータに関する特定情報が含まれているか否かに基づいて、環境情報測定装置２００との接続を制御する。従って、無駄な消費電力を抑えることができる。
【００７５】
上記実施の形態に係る通信端末１００によれば、例えば環境情報測定装置２００から受信したアドバタイズメントに、送信すべきデータが無いことを表す「ｎｏ＿ｄａｔａ」フラグが含まれている場合、環境情報測定装置２００との接続動作処理を実行しない。従って、無駄な消費電力を抑えることができる。
【００７６】
上記実施の形態に係る環境情報測定装置２００によれば、例えばデータ送信の要否を表す送信条件を満たさない場合などに、送信すべきデータが無いことを表す「ｎｏ＿ｄａｔａ」フラグなどといった送信すべきデータに関する特定情報を含むアドバタイズメントを通信端末１００に送信する。これにより、通信端末１００は、受信した当該アドバタイズメントに基づいて、環境情報測定装置２００との接続動作処理を実行しないことができる。環境情報測定装置２００は、通信端末１００から接続要求信号を受信しなければ、温度、相対湿度及びＷＢＧＴ値などのデータを通信端末１００に送信しないので、無駄な消費電力を抑えることができる。
【００７７】
上記実施の形態に係る環境情報測定装置２００によれば、例えばデータ送信の要否を表す送信条件を満たさない場合、送信すべきデータが無いことを表す「ｎｏ＿ｄａｔａ」フラグを含むアドバタイズメントを通信端末１００に送信する。これにより、通信端末１００は、受信した当該アドバタイズメントに「ｎｏ＿ｄａｔａ」フラグを含む場合には、環境情報測定装置２００との接続動作処理を実行しないことができる。環境情報測定装置２００は、通信端末１００から接続要求信号を受信しなければ、温度、相対湿度及びＷＢＧＴ値などのデータを通信端末１００に送信しないので、無駄な消費電力を抑えることができる。
【００７８】
上記実施の形態に係る環境情報測定装置２００によれば、図６に示すようにアドバタイズメントを通信端末１００に定期的に送信するので、「ｎｏ＿ｄａｔａ」フラグを含むアドバタイズメントと「ｎｏ＿ｄａｔａ」フラグを含まないアドバタイズメントとを、適宜切換えて送信することができる。
【００７９】
上記実施の形態に係る無線通信システム１によれば、例えば図６に示すように環境情報測定装置２００が送信するアドバタイズメントに「ｎｏ＿ｄａｔａ」フラグが含まれていない場合、通信端末１００は、環境情報測定装置２００との接続動作処理を実行し、環境情報測定装置２００との間でデータの送受信を行う。これに対し、環境情報測定装置２００が送信するアドバタイズメントに「ｎｏ＿ｄａｔａ」フラグが含まれている場合、通信端末１００は、環境情報測定装置２００との接続動作処理を実行しない。この場合、通信端末１００は環境情報測定装置２００との間でデータの送受信を行わない。このように環境情報測定装置２００に、送信すべきデータが無い場合にはデータの送受信などを行わないので、無駄な消費電力を抑えることができる。
【００８０】
なお、この発明は、上記実施の形態に限定されず、様々な変形及び応用が可能である。
【００８１】
（変形例１）
上記実施の形態では、データ送信の要否を表す送信条件を満たすか否かの判定を、算出したＷＢＧＴ値が基準値（２５℃）以上であるか否かの判定とした。しかし、送信条件を満たすか否かの判定は上記したものに限られず、例えば、データ送信の要否を表す送信条件を満たすか否かの判定を、今回算出したＷＢＧＴ値の属する分類が、前回のデータ送信時に算出したＷＢＧＴ値の属する分類と同じであるか否かの判定としてもよい。この場合、判定部２５２は、今回算出したＷＢＧＴ値の属する分類と、前回のデータ送信時に算出したＷＢＧＴ値の属する分類とが異なるとき、通信端末１００へのデータ送信が必要であると判定する。また、判定部２５２は、今回算出したＷＢＧＴ値の属する分類と、前回のデータ送信時に算出したＷＢＧＴ値の属する分類とが同じであるとき、通信端末１００へのデータ送信が不要であると判定する。
【００８２】
図９は、データ送信の要否を表す送信条件の例を示す図である。
【００８３】
図９に示すように、例えば、前回のデータ送信時に算出したＷＢＧＴ値の属する分類が「注意」（ＷＢＧＴ値が２５℃未満）である場合であって、今回算出したＷＢＧＴ値の属する分類が「注意」（ＷＢＧＴ値が２５℃未満）であるときは、判定部２５２は、通信端末１００へのデータ送信が不要であると判定する（図９では「×」で示す）。また、前回のデータ送信時に算出したＷＢＧＴ値の属する分類が「注意」（ＷＢＧＴ値が２５℃未満）である場合であって、今回算出したＷＢＧＴ値の属する分類が「警戒」（ＷＢＧＴ値が２５℃以上２８℃未満）であるとき、「厳重警戒」（ＷＢＧＴ値が２８℃以上３１℃未満）であるとき、または、「危険」（ＷＢＧＴ値が３１℃以上）であるときは、判定部２５２は、通信端末１００へのデータ送信が必要であると判定する（図９では「○」で示す）。
【００８４】
また、前回のデータ送信時に算出したＷＢＧＴ値の属する分類が「警戒」（ＷＢＧＴ値が２５℃以上２８℃未満）である場合、「厳重警戒」（ＷＢＧＴ値が２８℃以上３１℃未満）である場合、または、「危険」（ＷＢＧＴ値が３１℃以上）である場合についても、判定部２５２は、上記と同様に判定する。
【００８５】
図１０は、環境情報測定装置２００が実行するアドバタイズメント送信処理の他の例を示すフローチャートである。
【００８６】
図１０に示すアドバタイズメント送信処理では、まず、データ取得部２５１は、温度センサ２３０から現在の温度のデータを取得し、湿度センサ２４０から現在の相対湿度のデータを取得する（ステップＳ３０１）。
【００８７】
次に、判定部２５２は、データ取得部２５１が取得した温度及び相対湿度のデータからＷＢＧＴ値を算出し（ステップＳ３０２）、算出したＷＢＧＴ値に基づいて、上述した送信条件を満たすか否かを判定する（ステップＳ３０３）。なお、環境情報測定装置２００が電源ＯＮ状態となった直後では、通信端末１００に一度もデータを送信していないので、前回のデータ送信時に算出したＷＢＧＴ値は存在しない。従って、今回算出したＷＢＧＴ値の属する分類と、前回のデータ送信時に算出したＷＢＧＴ値の属する分類とが異なり、送信条件を満たすと判定される。
【００８８】
ステップ３０３にて送信条件を満たすと判定された場合（ステップＳ３０３；Ｙｅｓ）、制御部２０２は、アドバタイズメントに「ｎｏ＿ｄａｔａ」フラグを含めないアドバタイズメント設定を行う（ステップＳ３０４）。また、ステップ３０３にて送信条件を満たさないと判定された場合（ステップＳ３０３；Ｎｏ）、制御部２０２は、アドバタイズメントに「ｎｏ＿ｄａｔａ」フラグを含めるアドバタイズメント設定を行う（ステップＳ３０５）。
【００８９】
ステップＳ３０４の処理、または、ステップＳ３０５の処理を実行した後、アドバタイズメント送信部２５３は、アドバタイズメントを通信端末１００に送信する（ステップＳ３０６）。
【００９０】
そして、ステップＳ３０６の処理を実行した後、制御部２０２は、ステップＳ３０１に戻り、上記処理を繰り返し実行する。
【００９１】
このような構成にしても、通信端末１００では、環境情報測定装置２００から受信したアドバタイズメントに「ｎｏ＿ｄａｔａ」フラグが含まれている場合、環境情報測定装置２００との接続動作処理を実行せず、「ｎｏ＿ｄａｔａ」フラグが含まれていない場合、環境情報測定装置２００との接続動作処理を実行するので、無駄な消費電力を抑えることができる。
【００９２】
（変形例２）
上記の実施の形態に係る通信端末１００では、環境情報測定装置２００から受信したアドバタイズメントに、送信すべきデータが無いことを表す「ｎｏ＿ｄａｔａ」フラグが含まれている場合、環境情報測定装置２００との接続動作処理を実行せず、「ｎｏ＿ｄａｔａ」フラグが含まれていない場合、環境情報測定装置２００との接続動作処理を実行した。しかし、例えば、環境情報測定装置２００から受信したアドバタイズメントに、送信すべきデータが有ることを表す「ｄａｔａ」フラグが含まれていない場合、環境情報測定装置２００との接続動作処理を実行せず、「ｄａｔａ」フラグが含まれている場合、環境情報測定装置２００との接続動作処理を実行してもよい。また、環境情報測定装置２００から受信したアドバタイズメントに、「ｎｏ＿ｄａｔａ」フラグが含まれている場合、環境情報測定装置２００との接続動作処理を実行せず、「ｄａｔａ」フラグが含まれている場合、環境情報測定装置２００との接続動作処理を実行してもよい。このようにしても、無駄な消費電力を抑えることができる。
【００９３】
（変形例３）
上記の実施の形態に係る環境情報測定装置２００では、データ送信の要否を表す送信条件を満たさない場合、送信すべきデータが無いことを表す「ｎｏ＿ｄａｔａ」フラグを含むアドバタイズメントを通信端末１００に送信し、上記送信条件を満たす場合、「ｎｏ＿ｄａｔａ」フラグを含まないアドバタイズメントを通信端末１００に送信した。しかし、例えば、データ送信の要否を表す送信条件を満たす場合、送信すべきデータが有ることを表す「ｄａｔａ」フラグを含むアドバタイズメントを通信端末１００に送信し、上記送信条件を満たさない場合、「ｄａｔａ」フラグを含まないアドバタイズメントを通信端末１００に送信してもよい。また、データ送信の要否を表す送信条件を満たす場合、送信すべきデータが有ることを表す「ｄａｔａ」フラグを含むアドバタイズメントを通信端末１００に送信し、上記送信条件を満たさない場合、送信すべきデータが無いことを表す「ｎｏ＿ｄａｔａ」フラグを含むアドバタイズメントを通信端末１００に送信してもよい。アドバタイズメントに「ｄａｔａ」フラグを含める場合、アドバタイズメントパケットに「ｄａｔａ」フラグを設定できる領域を設け、その領域に、「ｄａｔａ」フラグを表すデータとして、例えば「０ｘ１１」といったデータを設定すればよい。このようにしても、無駄な消費電力を抑えることができる。
【００９４】
以上、本発明の実施の形態及びその変形例について説明したが、本発明は上記の実施の形態及びその変形例によって限定されるものではない。
【００９５】
上記実施の形態では、無線通信システム１を、セントラルとしての通信端末１００と、ペリフェラルとしての環境情報測定装置２００とで構成した。しかし、無線通信システム１は、通信端末１００と環境情報測定装置２００とから構成されるものに限られない。例えば、不正侵入を検知するセンサを備える警報装置をペリフェラルとし、この警報装置と通信端末１００とによって無線通信システム１を構成してもよい。この場合には、例えば、警報装置が不正侵入を検知したときに、「ｎｏ＿ｄａｔａ」フラグを含まないアドバタイズメントを通信端末１００に送信すればよい。また、例えば、花粉量を測定するセンサを備える花粉測定装置をペリフェラルとし、この花粉測定装置と通信端末１００とによって無線通信システム１を構成してもよい。この場合には、例えば、花粉測定装置が測定した花粉量が基準値を超えたときに、「ｎｏ＿ｄａｔａ」フラグを含まないアドバタイズメントを通信端末１００に送信すればよい。
【００９６】
上記実施の形態では、スマートフォンをセントラルとしたが、セントラルとなる無線通信装置はスマートフォンに限られない。例えば、ＢＬＥに基づく無線通信が可能な腕時計などをセントラルとし、メール受信機能を有するスマートフォンや携帯電話などをペリフェラルとしてもよい。この場合には、スマートフォンなどがメールを受信した場合に、「ｎｏ＿ｄａｔａ」フラグを含まないアドバタイズメントを腕時計などに送信すればよい。このような構成によれば、腕時計などにメールの受信があったことを表示させることができる。
【００９７】
上記実施の形態では、図１に示すように無線通信システム１を、１つのセントラル（通信端末１００）と、１つのペリフェラル（環境情報測定装置２００）とで構成した。しかし、無線通信システム１を、１つ又は複数のセントラルと、１つ又は複数のペリフェラルとで構成してもよい。ペリフェラルが複数ある場合には、セントラルは、ペリフェラルからのアドバタイズメントを順次受信すればよい。また、セントラルが複数ある場合には、ペリフェラルは、接続要求信号を受信した順で、セントラルとの間でデータの送受信を開始すればよい。
【００９８】
また、本発明に係る通信端末１００及び環境情報測定装置２００は、専用の装置によらず、通常のコンピュータシステムを用いて実現可能である。例えば、コンピュータがプログラムを実行することで、通信端末１００の機能及び環境情報測定装置２００の機能を実現してもよい。通信端末１００の機能及び環境情報測定装置２００の機能を実現するためのプログラムは、ＵＳＢ（Universal Serial Bus）メモリ、ＳＤ（Secure Digital）メモリカード、ＣＤ−ＲＯＭ（Compact Disc Read Only Memory）、ＤＶＤ（Digital Versatile Disc）、ＢＤ（Blu-ray（登録商標） Disc）、ＨＤＤ（Hard Disk Drive）等のコンピュータ読み取り可能な記録媒体に記憶されてもよいし、ネットワークを介してコンピュータにダウンロードされてもよい。
【００９９】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【０１００】
（付記１）
他の無線通信装置との接続要求を取得する接続要求取得手段と、
前記接続要求取得手段により接続要求が取得されたことに応じて、前記他の無線通信装置から識別情報を受信する受信手段と、
前記受信手段により受信された識別情報に、前記他の無線通信装置が送信すべきデータに関する特定情報が含まれているか否かを判定する判定手段と、
前記判定手段による判定結果に基づいて、前記他の無線通信装置との接続を制御する接続制御手段と、
を備えることを特徴とする無線通信装置。
【０１０１】
（付記２）
前記判定手段は、前記他の無線通信装置が送信すべきデータが無いことを表す特定情報が含まれているか否かを判定し、
前記接続制御手段は、前記判定手段により前記送信すべきデータが無いことを表す特定情報が含まれていると判定された場合、前記他の無線通信装置と接続しない、
ことを特徴とする付記１に記載の無線通信装置。
【０１０２】
（付記３）
前記判定手段は、前記他の無線通信装置が送信すべきデータが有ることを表す特定情報が含まれているか否かを判定し、
前記接続制御手段は、前記判定手段により前記送信すべきデータが有ることを表す特定情報が含まれていると判定された場合、前記他の無線通信装置と接続する、
ことを特徴とする付記１または２に記載の無線通信装置。
【０１０３】
（付記４）
他の無線通信装置と無線通信を行う無線通信装置であって、
データを取得するデータ取得手段と、
前記データ取得手段により取得されたデータが、前記他の無線通信装置へのデータ送信の要否を表す送信条件を満たすか否かを判定する判定手段と、
前記判定手段による判定結果に基づいて、送信すべきデータに関する特定情報を含む識別情報を前記他の無線通信装置に送信する識別情報送信手段と、
前記識別情報送信手段により送信された識別情報を受信した前記他の無線通信装置が当該識別情報に基づいて送信した接続要求信号を受信する接続要求受信手段と、
前記接続要求受信手段により受信された接続要求信号に応じて、前記データ取得手段により取得されたデータを前記他の無線通信装置に送信するデータ送信手段と、
を備えることを特徴とする無線通信装置。
【０１０４】
（付記５）
前記識別情報送信手段は、前記判定手段により送信条件を満たさないと判定された場合、送信すべきデータが無いことを表す特定情報を含む識別情報を前記他の無線通信装置に送信する、
ことを特徴とする付記４に記載の無線通信装置。
【０１０５】
（付記６）
前記識別情報送信手段は、前記判定手段により送信条件を満たすと判定された場合、送信すべきデータが有ることを表す特定情報を含む識別情報を前記他の無線通信装置に送信する、
ことを特徴とする付記４または５に記載の無線通信装置。
【０１０６】
（付記７）
前記識別情報送信手段は、前記識別情報を前記他の無線通信装置に定期的に送信する、
ことを特徴とする付記４から６のいずれか１つに記載の無線通信装置。
【０１０７】
（付記８）
他の無線通信装置との接続要求を取得する接続要求取得手段と、前記接続要求取得手段により接続要求が取得されたことに応じて、前記他の無線通信装置から識別情報を受信する受信手段と、前記受信手段により受信された識別情報に、前記他の無線通信装置が送信すべきデータに関する特定情報が含まれているか否かを判定する判定手段と、前記判定手段による判定結果に基づいて、前記他の無線通信装置との接続を制御する接続制御手段と、を備える無線通信装置と、
前記無線通信装置と無線通信を行う他の無線通信装置であって、データを取得するデータ取得手段と、前記データ取得手段により取得されたデータが、前記無線通信装置へのデータ送信の要否を表す送信条件を満たすか否かを判定する判定手段と、前記判定手段による判定結果に基づいて、送信すべきデータに関する特定情報を含む識別情報を前記無線通信装置に送信する識別情報送信手段と、前記識別情報送信手段により送信された識別情報を受信した前記無線通信装置が当該識別情報に基づいて送信した接続要求信号を受信する接続要求受信手段と、前記接続要求受信手段により受信された接続要求信号に応じて、前記データ取得手段により取得されたデータを前記無線通信装置に送信するデータ送信手段と、を備える他の無線通信装置と、
を備えることを特徴とする無線通信システム。
【０１０８】
（付記９）
他の無線通信装置との接続要求を取得する接続要求取得ステップと、
前記接続要求取得ステップで接続要求が取得されたことに応じて、前記他の無線通信装置から識別情報を受信する受信ステップと、
前記受信ステップで受信された識別情報に、前記他の無線通信装置が送信すべきデータに関する特定情報が含まれているか否かを判定する判定ステップと、
前記判定ステップでの判定結果に基づいて、前記他の無線通信装置との接続を制御する接続制御ステップと、
を含むことを特徴とする無線通信方法。
【０１０９】
（付記１０）
他の無線通信装置と無線通信を行う無線通信方法であって、
データを取得するデータ取得ステップと、
前記データ取得ステップで取得されたデータが、前記他の無線通信装置へのデータ送信の要否を表す送信条件を満たすか否かを判定する判定ステップと、
前記判定ステップでの判定結果に基づいて、送信すべきデータに関する特定情報を含む識別情報を前記他の無線通信装置に送信する識別情報送信ステップと、
前記識別情報送信ステップで送信された識別情報を受信した前記他の無線通信装置が当該識別情報に基づいて送信した接続要求信号を受信する接続要求受信ステップと、
前記接続要求受信ステップで受信された接続要求信号に応じて、前記データ取得ステップで取得されたデータを前記他の無線通信装置に送信するデータ送信ステップと、
を含むことを特徴とする無線通信方法。
【０１１０】
（付記１１）
コンピュータを、
他の無線通信装置との接続要求を取得する接続要求取得手段、
前記接続要求取得手段により接続要求が取得されたことに応じて、前記他の無線通信装置から識別情報を受信する受信手段、
前記受信手段により受信された識別情報に、前記他の無線通信装置が送信すべきデータに関する特定情報が含まれているか否かを判定する判定手段、
前記判定手段による判定結果に基づいて、前記他の無線通信装置との接続を制御する接続制御手段、
として機能させることを特徴とするプログラム。
【０１１１】
（付記１２）
他の無線通信装置と無線通信を行うコンピュータを、
データを取得するデータ取得手段、
前記データ取得手段により取得されたデータが、前記他の無線通信装置へのデータ送信の要否を表す送信条件を満たすか否かを判定する判定手段、
前記判定手段による判定結果に基づいて、送信すべきデータに関する特定情報を含む識別情報を前記他の無線通信装置に送信する識別情報送信手段、
前記識別情報送信手段により送信された識別情報を受信した前記他の無線通信装置が当該識別情報に基づいて送信した接続要求信号を受信する接続要求受信手段、
前記接続要求受信手段により受信された接続要求信号に応じて、前記データ取得手段により取得されたデータを前記他の無線通信装置に送信するデータ送信手段、
として機能させることを特徴とするプログラム。
【０１１２】
（付記１３）
ペリフェラルとBluetooth（登録商標） low energyに基づく無線通信を行うセントラルであって、
ペリフェラルとの接続要求を取得する接続要求取得手段と、
前記接続要求取得手段により接続要求が取得されたことに応じて、前記ペリフェラルからアドバタイズメントを受信する受信手段と、
前記受信手段により受信されたアドバタイズメントに、前記ペリフェラルが送信すべきデータに関する特定情報が含まれているか否かを判定する判定手段と、
前記判定手段による判定結果に基づいて、前記ペリフェラルとの接続を制御する接続制御手段と、
を備えることを特徴とする無線通信装置。
【０１１３】
（付記１４）
セントラルとBluetooth（登録商標） low energyに基づく無線通信を行うペリフェラルであって、
データを取得するデータ取得手段と、
前記データ取得手段により取得されたデータが、前記セントラルへのデータ送信の要否を表す送信条件を満たすか否かを判定する判定手段と、
前記判定手段による判定結果に基づいて、送信すべきデータに関する特定情報を含むアドバタイズメントを前記セントラルに送信するアドバタイズメント送信手段と、
前記アドバタイズメント送信手段により送信されたアドバタイズメントを受信した前記セントラルが当該アドバタイズメントに基づいて送信した接続要求信号を受信する接続要求受信手段と、
前記接続要求受信手段により受信された接続要求信号に応じて、前記データ取得手段により取得されたデータを前記セントラルに送信するデータ送信手段と、
を備えることを特徴とする無線通信装置。
【符号の説明】
【０１１４】
１…無線通信システム、１００…通信端末、１０２…制御部、１０４…ＲＯＭ、１０６…ＲＡＭ、１１０…無線通信処理部、１１２…アンテナ、１２４…スピーカ、１２６…ドライバ、１２８…表示部、１３０…タッチパネル、１５１…接続要求取得部、１５２…受信部、１５３…判定部、１５４…接続制御部、２００…環境情報測定装置、２０２…制御部、２０４…ＲＯＭ、２０６…ＲＡＭ、２１０…無線通信処理部、２１２…アンテナ、２２０…操作部、２２６…ドライバ、２２８…表示部、２３０…温度センサ、２４０…湿度センサ、２５１…データ取得部、２５２…判定部、２５３…アドバタイズメント送信部、２５４…接続要求受信部、２５５…データ送信部
【図１】
2015008368.tif 000003
【図２】
2015008368.tif 000004
【図３】
2015008368.tif 000005
【図４】
2015008368.tif 000006
【図５】
2015008368.tif 000007
【図６】
2015008368.tif 000008
【図７】
2015008368.tif 000009
【図８】
2015008368.tif 000010
【図９】
2015008368.tif 000011
【図１０】
2015008368.tif 000012